(57)【特許請求の範囲】
【請求項１】
浴室内の空気を循環させる循環用送風機と、冷媒を通す熱交換器とを備えた室内機と、冷媒を圧縮する圧縮機及び冷媒を通す熱交換器及び冷却用送風機を備えた室外機とで構成するヒートポンプ式の空調装置を具備するとともに、同空調装置に浴室内に配設した換気用送風機を連動連結してなる浴室乾燥装置において、
空調装置の循環用送風機にヒートポンプの凝縮器又は蒸発器として機能する複数の熱交換器を接続し、
浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風し、
前記送風機に電気ヒーター又はヒートポンプの凝縮器又は温水を通す熱交換器などの空気加熱手段を設け、
前記洗面室に配設した送風機の吸込み側に吸込み方向切替え機構を設け、室内機内の熱交換器で冷やされた又は暖められた空気を洗面室の送風機で吸込み洗面室へ冷風又は温風を吹出す場合と、洗面室の空気を吸込み前記空気加熱手段で加熱して循環させる場合とに切替え可能にしたことを特徴とする浴室乾燥装置。
【請求項２】
浴室内の空気を循環させる循環用送風機と、冷媒を通す熱交換器とを備えた室内機と、冷媒を圧縮する圧縮機及び冷媒を通す熱交換器及び冷却用送風機を備えた室外機とで構成するヒートポンプ式の空調装置を具備するとともに、同空調装置に浴室内に配設した換気用送風機を連動連結してなる浴室乾燥装置において、
空調装置の循環用送風機にヒートポンプの凝縮器又は蒸発器として機能する複数の熱交換器を接続し、
浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風し、
前記室内機内の熱交換器で冷やされた又は暖められた空気を送風機で吸込む場合には、室内機の循環用送風機を低速で駆動することを特徴とする浴室乾燥装置。
【請求項３】
浴室内の空気を循環させる循環用送風機と、冷媒を通す熱交換器とを備えた室内機と、冷媒を圧縮する圧縮機及び冷媒を通す熱交換器及び冷却用送風機を備えた室外機とで構成するヒートポンプ式の空調装置を具備するとともに、同空調装置に浴室内に配設した換気用送風機を連動連結してなる浴室乾燥装置において、
空調装置の循環用送風機にヒートポンプの凝縮器又は蒸発器として機能する複数の熱交換器を接続し、
浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風し、
室内機や送風機を遠隔操作手段で操作できるべく構成し、
遠隔操作部は、浴室換気運転スイッチ、浴室暖房運転スイッチ、浴室乾燥運転スイッチ、洗面室暖房運転スイッチ、洗面室除湿運転スイッチ、洗面室冷房運転スイッチを有し、
洗面室暖房運転時又は洗面室除湿運転時又は洗面室冷房運転時のそれぞれの運転モードに対して、始動開始時に浴室換気機能を動作させることを特徴とする浴室乾燥装置。
【発明の詳細な説明】
【０００１】
【発明の属する技術分野】
本発明は、ヒートポンプを用い、浴室における衣類乾燥、又は、浴室及び洗面室の空調を行うために好適な浴室乾燥装置に関する。
【０００２】
【従来の技術】
この種の乾燥機能を備えたヒートポンプシステムとしては、例えば特開平５−２７２８４２号公報が挙げられる。
【０００３】
図１においては、空調室内に配置される複数の室内機と乾燥室に配置される乾燥ユニットとを互いに並列に室外機に接続すると共に、上記乾燥室に換気ファンを配設し、上記室外機から複数の室内機へ冷媒を循環させて室内冷房運転を行い、又室内機から室外機へ冷媒を循環させて室内暖房運転を行うようにしたヒートポンプシステムにおいて、上記乾燥ユニットに設けた室内熱交換器を２つに分割すると共に、２つの熱交換器の間に開閉弁と減圧機構との並列回路を介設し、室内冷房運転時は除湿運転モードで乾燥運転を行い、室内暖房運転時は暖房運転モードに換気ファンによる換気モードを加えた運転モードで乾燥運転を行う乾燥モード制御手段を設け、更に外気温度を検出する温度検出手段を設け、上記乾燥モード制御手段は、室内冷暖房非運転時には、外気温度が特定温度よりも高い場合には除湿運転モードでの乾燥運転を行う一方、外気温度が特定温度以下の場合には暖房運転モードに換気モードを加えた運転モードで乾燥運転を行うことを特徴としている。
【０００４】
【発明が解決しようとする課題】
上記従来例においては、室内冷房運転時または外気温度が特定温度よりも高い場合は、除湿運転モードによる乾燥運転方式であるが、特定温度より高い外気温であっても除湿方式による乾燥は暖房運転モードに換気モードを加えた乾燥方式より乾燥スピードが遅い。よって、特定温度より高い場合には、外気温度だけでなく冷媒又は圧縮機又は配管系統の状態を検知しながら最適な乾燥方式を選択すべきである。
【０００５】
本発明は、上記従来の欠点を解決するためになされたもので、その目的は、乾燥ユニットを浴室に設置し乾燥効率を向上させるヒートポンプ式の浴室乾燥装置を提供することにある。更に、そのユニットを利用し隣接した洗面室も簡易的に空調することのできるヒートポンプ式の浴室乾燥装置を提供することにある。
【０００６】
【課題を解決するための手段】
そこで、本発明では、浴室内の空気を循環させる循環用送風機と、冷媒を通す熱交換器とを備えた室内機と、冷媒を圧縮する圧縮機及び冷媒を通す熱交換器及び冷却用送風機を備えた室外機とで構成するヒートポンプ式の空調装置を具備する浴室乾燥装置において、浴室内に配設した換気用送風機を空調装置に連動連結するとともに、同空調装置の循環用送風機にヒートポンプの凝縮器又は蒸発器として機能する熱交換器を合わせて２つ以上接続して、換気運転、暖房運転、乾燥運転、冷房運転の各運転モードで運転可能に構成することにした。
【０００７】
また、乾燥運転モード時には、室内機の熱交換器の一部又は全部をヒートポンプの凝縮器として機能させるとともに、換気用送風機を連続又は間欠的に動作させ、しかも、室外機の圧縮機の冷媒の温度又は圧力を検知し、その検出値が予め設定された値を下回る場合は、圧縮機を駆動させて循環用送風機から温風を吹出させ、一方、検出値が予め設定された値に達した場合は、圧縮機を一時停止又は圧縮機の回転数を下げたり、循環用送風機の風量を増加させたり、室外機の冷却用送風機の風量を低下させたり、室外機の圧縮機の近傍に配設した圧縮機冷却用ファンを回転させて圧縮機を冷却したり、循環用送風機に接続した熱交換器の一部を凝縮器として機能させ、他の一部を蒸発器として機能させ、これら凝縮器と蒸発器との間に介設した冷媒を膨張させるためのキャピラリーチューブを通して冷媒を循環させることにした。
【０００８】
また、室内機に室温センサーを配設し、室内機及び室外機の各熱交換器に温度センサーを配設し、室外機に外気温センサーを配設し、各センサーで検出した温度に応じて、圧縮機の回転数又は循環用送風機の回転数又は冷却用送風機の回転数又は換気用送風機の回転数を変更することにした。
【０００９】
また、浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風すことにした。
【００１０】
また、前記ダクトの周囲に断熱材を施したり、前記送風機に電気ヒーター又はヒートポンプの凝縮器又は温水を通す熱交換器などの空気加熱手段を設けることにした。
【００１１】
また、前記洗面室に配設した送風機の吸込み側に吸込み方向切替え機構を設け、室内機内の熱交換器で冷やされた又は暖められた空気を洗面室の送風機で吸込み洗面室へ冷風又は温風を吹出す場合と、洗面室の空気を吸込み前記空気加熱手段で加熱して循環させる場合とに切替え可能にした。
【００１２】
また、前記室内機内の熱交換器で冷やされた又は暖められた空気を送風機で吸込む場合には、室内機の循環用送風機を低速で駆動することにした。
【００１３】
また、送風機を浴室と洗面室の間の壁又は洗面室の天井に埋め込むことにした。
【００１４】
また、室内機や送風機を遠隔操作手段で操作できるべく構成し、更には、遠隔操作部は、浴室換気運転スイッチ、浴室暖房運転スイッチ、浴室乾燥運転スイッチ、洗面室暖房運転スイッチ、洗面室除湿運転スイッチ、洗面室冷房運転スイッチを有することとした。
【００１５】
また、洗面室暖房運転時又は洗面室除湿運転時又は洗面室冷房運転時のそれぞれの運転モードに対して、始動開始時に浴室換気機能を動作させることにした。
【００１６】
また、浴室の室内機内の蒸発器の下方に結露水受け部を設け、特に、直立に近い方の熱交換器を蒸発器として用い、その下方部に結露水受け部を設け、或いは、蒸発器の下方の結露水受け部へポンプを設置し、滞留水量を検知して配管を介して装置外へ結露水を排出できるべく構成することにした。
【００１７】
また、浴室の室内機の吹出し口に風向制御手段を設け、風向制御部はスイング動作機能又は指定の位置で停止できる機能を持たせ、また、暖房モード、乾燥モード、冷風モードのそれぞれの運転モードに対して、風向制御部の停止位置を割り当てたり、浴室の室内機に被乾燥物の存在範囲を検出する検知手段又は人の存在を検知する手段を持ち、自動的に風向制御部のスイング角度又は停止位置を変更することにした。
【００１８】
また、乾燥運転モード時は、室内機内の熱交換器の一部又は全部をヒートポンプの凝縮器として使い、その動作と同時又は間欠で換気機能を動作させ、圧縮機又は装置全体に流れる電流値を検出し、検出値が予め設定された値を下回る場合は、圧縮機を駆動させ、循環用送風機から温風を吹出し、検出値が予め設定された値に達した場合には、圧縮機を自動的に一時停止又は圧縮機の回転数を任意に下げることにした。
【００１９】
また、冷媒として二酸化炭素を用いることにした。
【００２０】
【発明の実施の形態】
本発明に係る浴室乾燥装置は、浴室内の空気を循環させる循環用送風機と、冷媒を通す熱交換器とを備えた室内機と、冷媒を圧縮する圧縮機及び冷媒を通す熱交換器及び冷却用送風機を備えた室外機とで構成するヒートポンプ式の空調装置を具備するとともに、同空調装置に浴室内に配設した換気用送風機を連動連結したものである。
【００２１】
しかも、空調装置の循環用送風機にヒートポンプの凝縮器又は蒸発器として機能する熱交換器を合わせて２つ以上接続し、換気用送風機と熱交換器の作動の組合せによって、換気運転、暖房運転、乾燥運転、冷房運転の各運転モードで運転可能に構成したものである。
【００２２】
そのため、浴室の空調装置と換気用送風機を連動させることで、入浴後の浴室内蒸気の排出や、衣類乾燥時の衣類からの蒸発水分の排出が可能となり、浴室内の湿度の調整がヒートポンプ式空調機だけの構成より効率的に行えるものである。
【００２３】
【実施例】
以下に本発明の実施例を図面に基づいて説明する。
【００２４】
図１は従来と同様のマルチシステムの配管系統図を示し、空調機能及び乾燥機能と共に、更に給湯加熱機能、浴槽湯の追い焚き機能を有する多機能ヒートポンプシステムを構成している。
【００２５】
室外機４内には、圧縮機や室外熱交換器等が収納されている。同室外機４には、複数の室内空調機３と貯湯槽と追い焚きユニットが接続されている。さらに乾燥用熱交換器を有する乾燥ユニット１が浴室などの乾燥室の天井に配設されている。室外機４の圧縮機は、インバータ周波数制御によって各利用側熱交換器の合計負荷に応ずる圧縮能力で運転されるものである。
【００２６】
乾燥運転は、乾燥ユニット１に接続されている乾燥運転操作リモコン５における運転開始スイッチが使用者によってオン操作されたときに、乾燥用熱交換器を機能させることにより行われる。
【００２７】
乾燥ユニット１に設けた室内熱交換器を２つに分割し、両室内熱交換器の間に開閉弁と減圧機構との並列回路を介設し、さらに外気温度を検出する温度検出手段を設け、外気温度が特定温度より高い場合には除湿運転モードでの乾燥運転を行う一方、外気温度が特定温度以下の場合には暖房運転モードに換気モードを加えた運転モードで乾燥運転を行う構成となっている。
【００２８】
図２は、従来と同様の乾燥用熱交換器及び換気ファンを具備した乾燥ユニットを示した図であり、乾燥ユニット１１を、循環用送風機６、乾燥用熱交換器７、温度センサー９、湿度センサー１０に加え、換気用送風機８で構成している。
【００２９】
図３は、浴室乾燥装置の冷媒回路図を示しており、室外ユニットは冷媒を圧縮する圧縮機１８及び冷媒を通す室外機用熱交換器２１及び冷却用送風機２０を備え、浴室ユニットには浴室内の空気を循環させる循環用送風機１２と冷媒を通す乾燥用熱交換器１３、１４及び両乾燥用熱交換器の間に再加熱弁１５とキャピラリチューブ１６との並列回路を介設し、更に該空調装置に連動して動作する換気用送風機１７を内蔵している。尚、冷媒としては、二酸化炭素を用いている。これにより、フロン系の冷媒と比較して凝縮器の温度を高くすることができ、乾燥効率を向上させることができる。
【００３０】
そして、浴室乾燥装置は、図４に示す浴室乾燥機用リモコンからの信号によって以下のように動作する。
【００３１】
すなわち、換気運転の場合は、圧縮機１８は停止状態で換気用送風機１７を動作させる。
【００３２】
また、暖房運転の場合は、圧縮機１８を駆動し再加熱弁１５を開き乾燥用熱交換器１３、１４を凝縮器として用いバイパス弁２２を閉じ室外機用熱交換器２１を蒸発器として冷媒を循環させる。
【００３３】
また、乾燥運転の場合は暖房運転と同じ動作に加え換気用送風機１７を動作させる。
【００３４】
また、冷房運転の場合は四方弁１９を切替え乾燥用熱交換器１３、１４を蒸発器とし室外機用熱交換器２１を凝縮器として冷媒を循環させる。
【００３５】
このように、浴室乾燥装置は、浴室内に配設した換気用送風機を空調装置に連動連結するとともに、同空調装置の循環用送風機にヒートポンプの凝縮器又は蒸発器を合わせて２つ以上接続して、換気運転、暖房運転、乾燥運転、冷房運転の各運転モードで運転可能に構成している。
【００３６】
そして、浴室の空調装置と換気用送風機を連動させることで、入浴後の浴室内蒸気の排出や、衣類乾燥時の衣類からの蒸発水分の排出が可能となり、浴室内の湿度の調整がヒートポンプ式空調機だけの構成より効率的に行えるようにしている。
【００３７】
室外機内には、図５に示すように、圧縮機３５と室外機熱交換器３４などが収納されている。
【００３８】
乾燥機２９は乾燥用熱交換器３１、３２と循環用送風機３０と換気用送風機３３などを有し浴室の天井に配設されている。
【００３９】
室外機の圧縮機３５は、インバータ周波数制御によって各熱交換器の負荷に応ずる圧縮能力で運転されるものである。
【００４０】
そして、乾燥運転モード時には、乾燥機２９内の乾燥用熱交換器３１、３２の両方又は片方をヒートポンプの凝縮器として使い、その動作と同時又は間欠で換気機能を動作させ、室外機の圧縮機３５の冷媒の吐出側又は圧縮機と室内機の凝縮器との間で冷媒の温度又は圧力をセンサー３６で直接又は間接的に検知し、圧縮機３５の回転数又は乾燥機２９の循環風量又は室外機の冷却用送風量又は圧縮機用冷却ファン３７を制御する。
【００４１】
しかも、センサー３６の検出値が予め設定された値を下回る場合には、圧縮機を駆動させ、循環用送風機から温風を吹出し、一方、センサー３６の検出値が予め設定された値に達した場合には、図６に示す圧縮機３５の回転数を制御する場合のタイミングチャートのように、圧縮機を自動的に一時停止又は圧縮機の回転数を任意に下げるようにしている。
【００４２】
浴室乾燥装置の室内機から温風を出しながら衣類から蒸発した水分を換気する方式は乾燥効率は良いが、ヒートポンプの冷媒が高温高圧になると、圧縮機がロックしてしまうので、本実施例のように冷媒状態を検出し、圧縮機回転数を制御することによって、限界付近までヒートポンプを動かし、できるだけ広い温度範囲で、効率的な乾燥が行えるようになる。
【００４３】
また、図７に示す乾燥機２９の循環風量を制御する場合のタイミングチャートのように、センサー３６の検出値が予め設定された値に達した場合には、室内循環送風機の風量を任意に増加させてもよい。
【００４４】
この場合には、冷媒が高温高圧の限界付近になると、徐々に室内機の凝縮器を通過する循環風量を増やし冷媒を冷やすことになり、高速風で衣類乾燥の効果を上げることができる。但し、騒音が悪化するため、冷媒の温度に余裕が出てきた場合は、循環風量を通常の状態に戻すようにしている。
【００４５】
また、図８に示す室外機の冷却用送風量を制御する場合のタイミングチャートのように、センサー３６の検出値が予め設定された値に達した場合には、室外機の蒸発器用送風機の風量を任意に低下させてもよい。
【００４６】
この場合には、冷媒が高温高圧の限界付近になると、徐々に室外機の送風量を減らし蒸発器に与える熱を抑えていくことになり、室内機の循環風量を大きく変更させること無く、ヒートポンプ運転を継続できる。
【００４７】
また、センサー３６の検出値が予め設定された値に達した場合には、室外機の圧縮機の近傍に配設した圧縮機冷却用ファンを回転させて圧縮機を冷却してもよい。
【００４８】
この場合には、ヒートポンプの冷媒が高温高圧になると、圧縮機がロックしてしまうため、圧縮機を強制冷却することで、圧縮機のロック防止を図ることができる。
【００４９】
また、図９に示すように、センサー３６の検出値が予め設定された値に達した場合に、循環用送風機３０の上流側の乾燥用熱交換器３１，３２の片方を凝縮器としもう片方を蒸発器とし再加熱弁１５を閉じバイパス弁２２を開き冷媒を循環させ、更には、これら凝縮器と蒸発器との間に介設した冷媒を膨張させるためのキャピラリーチューブを通して冷媒を循環させてもよい。
【００５０】
これにより、冷媒が高温高圧の限界付近になると、室内機の熱交換器の一部を蒸発器とし、浴室内に温風を出さず除湿風を出し室内温度上昇を抑え、真夏の乾燥運転を可能にすることができる。
【００５１】
図５では、浴室の室内機の空気吸込み側に室温センサー３８を、浴室の室内機及び室外機の各熱交換器の任意の位置に温度センサー４０、４１を、室外機用熱交換器の空気吸込み側に温度センサー３９をそれぞれ設置し、各センサーの数値に応じて、圧縮機の回転数又は循環送風機の回転数又は室外機送風機の回転数又は換気用送風機の回転数を任意に変更している。
【００５２】
これにより、外気温が高い場合は、予め室内機の循環送風量を増やすか又は室外機の送風量を下げるなどして、冷媒が高温高圧になりにくくすることができる。また、室内機の温度センサーからの検出値で、圧縮機、室内送風機、室外送風機、換気送風機の回転数を調整し、システムを総合的に制御し、装置の効率を最大限に引き出すことができる。
【００５３】
図１０は、乾燥機４３を浴室の天井部に埋め込み、乾燥機４３に内蔵された乾燥用熱交換器の下流側で乾燥機外郭の側面又は上面の一部に開口を設け、該開口部と洗面室に設置した洗面室ユニット４７を天井裏の連通ダクト４６で接続し、乾燥機内の乾燥用熱交換器で冷やされた又は暖められた空気を、洗面室ユニット４７の送風機４８で吸込み、洗面室へ冷風又は温風を吹出す構成を示したものである。
【００５４】
かかる構成とすることで、一つの室内機ユニットで高湿度の浴室と洗面所の２つの閉じた空間を暖房、冷房、乾燥することができる安価なシステムを構築できる。
【００５５】
天井裏の連通ダクト４６の周囲には断熱材４９を施しており、天井裏のダクト内を通る温風・冷風の熱損失を抑え、隣室の空調効果を上げている。
【００５６】
洗面室ユニット４７の送風機４８の吹出し側には、電気ヒーター又はヒートポンプの凝縮器又は温水を通す熱交換器などの空気加熱手段５０を設けている。
【００５７】
浴室側の室内機の熱交換器を凝縮器として温風を発生させると、浴室の蒸気が結露せずそのまま洗面所に持ち込まれるため、洗面所の絶対湿度が上昇してしまうといった不具合が発生するおそれがあるが、本実施例では、洗面所の温風を洗面所ユニットの空気加熱手段５０を用いて実現しているため、前記不具合の発生を防止することができる。
【００５８】
洗面室ユニット４７の送風機４８の吸込み側に吸込み方向切替えダンパー５１を設け、浴室側の乾燥機内の乾燥用熱交換器で冷やされた又は暖められた空気を洗面室ユニットの送風機４８で吸込み、洗面室へ冷風又は温風を吹出す場合と、洗面室の空気を吸込み加熱手段５０で加熱して循環させる場合と切替えることを可能にしている。
【００５９】
これにより、洗面所で温風循環させる場合は、ダンパーで浴室ユニットとの連通口を塞ぎ、浴室からの蒸気の吸込みを防止し、冷風の場合は、ダンパーを切り替え、浴室ユニット側と連通させるようにしている。
【００６０】
浴室側の乾燥機内の乾燥用熱交換器で冷やされた又は暖められた空気を洗面室ユニットの送風機４８で吸込む場合に、浴室側乾燥機の循環用送風機４５を低速で駆動することで更に効果を上げることができる。
【００６１】
すなわち、洗面所ユニットの送風機を回して浴室ユニットで発生させた冷風又は温風を吸込むだけでは、浴室ユニットの熱交換器の全体に十分に風を通すことができないため、局所的に霜付きなどが発生するが、浴室側の送風機を低速で回すことで、霜付きなどの発生を防止して熱交換効率を上げることができる。
【００６２】
図１１は、洗面室ユニット５２を浴室と洗面室の間の壁又は洗面室の天井に埋め込んだ場合の実施例である。
【００６３】
この場合には、洗面所空間内の納まりが改善できると共に、洗面所ユニット本体へのダクト接続面が５面までとれ、ダクト接続の自由度が増す。
【００６４】
図１２は、装置の動作を指示できる操作用リモコン５５の実施例であり、操作用リモコンは、赤外線通信式又は電波通信式又は電線を介して通信するものである。
【００６５】
したがって、洗面所ユニット内に通信手段を設ければ、有線でも、赤外線でも、電波でも通信が可能となり、装置の遠隔操作が行え、使い勝手を向上することができる。
【００６６】
かかるリモコン５５の操作部には、浴室暖房運転スイッチ５６、浴室冷房運転スイッチ５７、浴室乾燥運転スイッチ５８、浴室換気運転スイッチ５９、洗面室暖房運転スイッチ６０、洗面室冷房運転スイッチ６１、洗面室除湿運転スイッチ６２、ドライヤー運転スイッチ６３を有している。
【００６７】
これにより、洗面所側に設置したリモコンで、浴室換気運転、浴室暖房運転、浴室乾燥運転、洗面所暖房運転、洗面所除湿運転、洗面所冷房運転など、２つの空間の集中空調制御が可能となる。
【００６８】
図１３は、洗面室ユニット運転モードと浴室換気モードの運転制御例を示すタイミングチャートである。洗面室暖房運転時又は洗面室除湿運転時又は洗面室冷房運転時のそれぞれの運転モードに対して、始動初期時間帯に浴室換気機能を動作させる構成としている。
【００６９】
これにより、始動初期時間帯では、入浴後など浴室の湿度が高い場合が多く、室内機の蒸発器に霜が付き易いが、事前に換気運転を行うことで、霜付きを回避することができる。
【００７０】
図１４は、実施例の透視図である。浴室の乾燥機６５内のより直立に近い方の乾燥用熱交換器６９の下方に結露水受け７３を備えている。乾燥用熱交換器６９の下方の結露水受け７３には結露水排出ポンプ７４を設置し、滞留水量を検知して配管を介して装置外へ結露水を排出できる構成としている。
【００７１】
このように、結露水受け７３を設けることで、浴室内での結露水の落下を防止している。しかも、必要な箇所にのみ結露水受け７３を限定し、コンパクト化を図っている。また、浴室天井に室内機が付くため、屋外までの水路で下り勾配がとれない場合がありうるため、必要時に一時的にポンプを駆動させ、強制排水を行うようにしている。
【００７２】
図１５は、実施例の透視図である。浴室の乾燥機の吹出し口に風向制御手段７６を設け、風向制御手段はスイング動作機能または指定の位置で停止できる機能を持っている。
【００７３】
これにより、特に乾燥運転時は、浴室内に吊るした衣類にまんべんなく風を当てることで短時間乾燥が実現できるため、風向制御部をスイングさせるか、複数の位置で一時停止し間欠的に風向を変えることができれば乾燥効果を向上させることができる。
【００７４】
さらに、乾燥運転時、入浴前暖房時、入浴中暖房時のそれぞれで、風向の要求が違うため、暖房モード、乾燥モード、冷風モードのそれぞれの運転モードに対して、風向制御部の停止位置を割り当てることができる機能も持たせており、これにより、運転モード毎に最適風向を設置することができるようにしている。
【００７５】
また、浴室ユニットと人又は衣類の相対位置が現場により異なることが考えられるため、浴室の乾燥機に被乾燥物の存在範囲を検出する検知手段又は人の存在を検知する手段を内蔵すれば、自動的に風向制御部のスイング角度又は停止位置を最適化できる。
【００７６】
図１６は、圧縮機又は装置全体の電流値と圧縮機の回転数を示すタイミングチャートである。乾燥運転モード時は乾燥機内の乾燥機用熱交換器の片方又は両方をヒートポンプの凝縮器として使い、その動作と同時又は間欠で換気機能を動作させ、圧縮機又は装置全体に流れる電流値を検出し、検出値が予め設定された値を下回る場合は、圧縮機を駆動させ、循環用送風機から温風を吹出し、検出値が予め設定された値に達した場合には、圧縮機を自動的に一時停止又は圧縮機の回転数を任意に下げることができる。
【００７７】
この場合には、冷媒の温度圧力状態を検知するのでなく、圧縮機の負荷状態で代用しその電流値を検出することで、温度センサー、圧力センサーを用いず、簡易的に乾燥時のヒートポンプの制御が行える。
【００７８】
【発明の効果】
請求項１記載の本発明では、浴室内に配設した換気用送風機を空調装置に連動連結するとともに、同空調装置の循環用送風機にヒートポンプの凝縮器又は蒸発器として機能する複数の熱交換器を接続し、これら換気用送風機と熱交換器との動作の組合せによって、換気運転、暖房運転、乾燥運転、冷房運転の各運転モードで運転可能に構成しているため、浴室の空調装置と換気用送風機を連動させることで、入浴後の浴室内蒸気の排出や、衣類乾燥時の衣類からの蒸発水分の排出が可能となり、浴室内の湿度の調整がヒートポンプ式空調機だけの構成より効率的に行うことができる。
また、浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風するようにしているため、一つの室内機ユニットで、高湿度の浴室と洗面室の２つの閉じた空間を暖房、冷房、乾燥ができる安価なシステムを構築することができる。
また、送風機に電気ヒーター又はヒートポンプの凝縮器又は温水を通す熱交換器などの空気加熱手段を設けているため、浴室の蒸気が結露せずそのまま洗面室に持ち込まれることで洗面室の絶対湿度が上昇してしまうのを防止することができる。
また、洗面室に配設した送風機の吸込み側に吸込み方向切替え機構を設け、室内機内の熱交換器で冷やされた又は暖められた空気を洗面室の送風機で吸込み洗面室へ冷風又は温風を吹出す場合と、洗面室の空気を吸込み前記空気加熱手段で加熱して循環させる場合とに切替え可能にしているため、洗面所で温風循環させる場合は、ダンパーで浴室ユニットとの連通口を塞ぎ、浴室からの蒸気の吸込みを防止し、冷風の場合は、ダンパーを切り替え、浴室ユニット側と連通させることができる。
【００７９】
請求項２記載の本発明では、浴室内に配設した換気用送風機を空調装置に連動連結するとともに、同空調装置の循環用送風機にヒートポンプの凝縮器又は蒸発器として機能する複数の熱交換器を接続し、これら換気用送風機と熱交換器との動作の組合せによって、換気運転、暖房運転、乾燥運転、冷房運転の各運転モードで運転可能に構成しているため、浴室の空調装置と換気用送風機を連動させることで、入浴後の浴室内蒸気の排出や、衣類乾燥時の衣類からの蒸発水分の排出が可能となり、浴室内の湿度の調整がヒートポンプ式空調機だけの構成より効率的に行うことができる。
また、浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風するようにしているため、一つの室内機ユニットで、高湿度の浴室と洗面室の２つの閉じた空間を暖房、冷房、乾燥ができる安価なシステムを構築することができる。
室内機内の熱交換器で冷やされた又は暖められた空気を送風機で吸込む場合には、室内機の循環用送風機を低速で駆動することにしているため、局所的に霜付きなどが発生するのを防止して、熱交換効率を上げることができる。
【００８０】
請求項３記載の本発明では、浴室内に配設した換気用送風機を空調装置に連動連結するとともに、同空調装置の循環用送風機にヒートポンプの凝縮器又は蒸発器として機能する複数の熱交換器を接続し、これら換気用送風機と熱交換器との動作の組合せによって、換気運転、暖房運転、乾燥運転、冷房運転の各運転モードで運転可能に構成しているため、浴室の空調装置と換気用送風機を連動させることで、入浴後の浴室内蒸気の排出や、衣類乾燥時の衣類からの蒸発水分の排出が可能となり、浴室内の湿度の調整がヒートポンプ式空調機だけの構成より効率的に行うことができる。
また、浴室か洗面室のどちらか一方の室の天井部に室内機を埋め込むとともに、他方の室に送風機を配設し、室内機に内蔵された熱交換器の下流側であって室内機の側面又は上面の一部に開口部を設け、同開口部と前記送風機とをダクトで連通連結し、室内機内の熱交換器で冷やされた又は暖められた空気を送風機で送風するようにしているため、一つの室内機ユニットで、高湿度の浴室と洗面室の２つの閉じた空間を暖房、冷房、乾燥ができる安価なシステムを構築することができる。
また、室内機や送風機を遠隔操作手段で操作できるべく構成しているため、使い勝手を向上させることができる。
また、遠隔操作部は、浴室換気運転スイッチ、浴室暖房運転スイッチ、浴室乾燥運転スイッチ、洗面室暖房運転スイッチ、洗面室除湿運転スイッチ、洗面室冷房運転スイッチを有することにしているため、洗面所側に設置したリモコンで、浴室換気運転、浴室暖房運転、浴室乾燥運転、洗面所暖房運転、洗面所除湿運転、洗面所冷房運転など、２つの空間の集中空調制御が可能となる。
また、洗面室暖房運転時又は洗面室除湿運転時又は洗面室冷房運転時のそれぞれの運転モードに対して、始動開始時に浴室換気機能を動作させることにしているため、霜付きを回避することができる。
【００８１】
本発明では、乾燥運転モード時に室外機の圧縮機の冷媒の温度又は圧力が予め設定された値に達した場合は、室外機の冷却用送風機の風量を任意に低下させるようにしているため、冷媒が高温高圧の限界付近になると、徐々に室外機の送風量を減らし蒸発器に与える熱を抑えていき、室内機の循環風量を大きく変更させること無く、ヒートポンプの運転を継続することができる。
【００８２】
本発明では、乾燥運転モード時に室外機の圧縮機の冷媒の温度又は圧力が予め設定された値に達した場合は、室外機の圧縮機の近傍に配設した圧縮機冷却用ファンを回転させて圧縮機を冷却するようにしているため、ヒートポンプの冷媒が高温高圧になって圧縮機がロックしてしまう前に、圧縮機を強制冷却して、ロック防止を図ることができる。
【００８３】
本発明では、乾燥運転モード時に室外機の圧縮機の冷媒の温度又は圧力が予め設定された値に達した場合は、循環用送風機に接続した熱交換器の一部を凝縮器として機能させ、他の一部を蒸発器として機能させ、これら凝縮器と蒸発器との間に介設した冷媒を膨張させるためのキャピラリーチューブを通して冷媒を循環させているため、冷媒が高温高圧の限界付近になると、室内機の熱交換器の一部を蒸発器とし、浴室内に温風を出さず除湿風を出し室内温度上昇を抑え、真夏等の高温時でも乾燥運転を行うことができる。
【００８４】
本発明では、室内機に室温センサーを配設し、室内機及び室外機の各熱交換器に温度センサーを配設し、室外機に外気温センサーを配設し、各センサーで検出した温度に応じて、圧縮機の回転数又は循環用送風機の回転数又は冷却用送風機の回転数又は換気用送風機の回転数を変更するようにしているため、外気温が高い場合は、予め室内機の循環送風量を増やすか又は室外機の送風量を下げるなどして、冷媒が高温高圧になりにくくすることができ、また、室内機の温度センサーからの検出値で、圧縮機、室内送風機、室外送風機、換気送風機の回転数を調整し、システムを総合的に制御し、装置の効率を最大限に引き出すことができる。
【００８６】
本発明では、前記ダクトの周囲に断熱材を施しているため、ダクト内を通る温風や冷風の熱損失を抑え、空調効果を上げることができる。
【００９０】
本発明では、送風機を浴室と洗面室の間の壁又は洗面室の天井に埋め込むことにしているため、洗面所空間内の納まりが改善できると共に、洗面所ユニット本体へのダクト接続面が５面までとれ、ダクト接続の自由度を増大させることができる。
【００９４】
本発明では、浴室の室内機内の蒸発器の下方に結露水受け部を設けているため、浴室内での結露水の落下を防止することができる。
【００９５】
本発明では、直立に近い方の熱交換器を蒸発器として用い、その下方部に結露水受け部を設けているため、必要な箇所に結露水受けを限定し、コンパクト化を図ることができる。
【００９６】
本発明では、蒸発器の下方の結露水受け部へポンプを設置し、滞留水量を検知して配管を介して装置外へ結露水を排出できるべく構成しているため、必要時に一時的にポンプを駆動させて、強制排水を行うことができる。
【００９７】
本発明では、浴室の室内機の吹出し口に風向制御手段を設け、風向制御部はスイング動作機能又は指定の位置で停止できる機能を持たせているため、特に乾燥運転時は、浴室内に吊るした衣類にまんべんなく風を当てることで短時間乾燥が実現できる。
【００９８】
本発明では、暖房モード、乾燥モード、冷風モードのそれぞれの運転モードに対して、風向制御部の停止位置を割り当てることにしているため、運転モード毎に最適風向を設置することができる。
【００９９】
本発明では、浴室の室内機に被乾燥物の存在範囲を検出する検知手段又は人の存在を検知する手段を持ち、自動的に風向制御部のスイング角度又は停止位置を変更することにしているため、各運転モード毎にその時の人の位置や衣類の位置を検出して最適な風向に調整することができる。
【０１００】
本発明では、乾燥運転モード時に、室内機内の熱交換器の一部又は全部をヒートポンプの凝縮器として使い、その動作と同時又は間欠で換気機能を動作させ、圧縮機又は装置全体に流れる電流値を検出し、検出値が予め設定された値を下回る場合は、圧縮機を駆動させ、循環用送風機から温風を吹出し、検出値が予め設定された値に達した場合には、圧縮機を自動的に一時停止又は圧縮機の回転数を任意に下げることにしているため、冷媒の温度圧力状態を検知するのでなく、圧縮機の負荷状態で代用しその電流値を検出して、温度センサー、圧力センサーを用いずに、簡易的に乾燥時のヒートポンプの制御を行うことができる。
【０１０１】
本発明では、冷媒を二酸化炭素としているため、フロン系の冷媒と比較して凝縮器の温度を高くすることができ、乾燥効率を向上させることができる。
【図面の簡単な説明】
【図１】従来の浴室乾燥装置を示す説明図。
【図２】従来の乾燥用熱交換器及び換気ファンを具備した乾燥ユニットを示す説明図。
【図３】本発明に係る浴室乾燥装置の冷媒回路図。
【図４】操作リモコンを示す説明図。
【図５】浴室乾燥装置を示す構成図。
【図６】冷媒温度又は圧力と圧縮機回転数の運転制御例を示すタイミングチャート。
【図７】冷媒温度又は圧力と室内機循環風量の運転制御例を示すタイミングチャート。
【図８】冷媒温度又は圧力と室外機送風量の運転制御例を示すタイミングチャート。
【図９】他実施例としての冷媒回路図。
【図１０】他実施例としての浴室乾燥装置を示す構成図。
【図１１】同斜視図。
【図１２】操作リモコンを示す説明図。
【図１３】洗面室ユニット運転モードと浴室換気モードの運転制御例を示すタイミングチャート。
【図１４】乾燥機を示す透視図。
【図１５】同断面図。
【図１６】圧縮機又は装置全体の電流値と圧縮機の回転数を示すタイミングチャート。
【符号の説明】
１  乾燥ユニット
２  換気用送風機
３  室内空調機
４  室外機
５  乾燥運転操作リモコン
６  循環用送風機
７  乾燥用熱交換器
８  換気用送風機
９  温度センサー
１０  湿度センサー
１１  乾燥ユニット
１２  循環用送風機
１３  乾燥用熱交換器
１４  乾燥用熱交換器
１５  再加熱弁
１６  キャピラリチューブ
１７  換気用送風機
１８  圧縮機
１９  四方弁
２０  冷却用送風機
２１  室外機熱交換器
２２  バイパス弁
２３  キャピラリチューブ
２４  浴室乾燥機用リモコン
２５  換気運転モードスイッチ
２６  暖房運転モードスイッチ
２７  乾燥運転モードスイッチ
２８  冷房運転モードスイッチ
２９  乾燥機
３０  循環用送風機
３１  乾燥用熱交換器
３２  乾燥用熱交換器
３３  換気用送風機
３４  室外機熱交換器
３５  圧縮機
３６  温度センサー又は圧力センサー
３７  圧縮機用冷却ファン
３８  室温センサー
３９  室外機熱交換器用温度センサー
４０  熱交換器用温度センサー
４１  熱交換器用温度センサー
４３  乾燥機
４４  換気用送風機
４５  循環用送風機
４６  連通ダクト
４７  洗面室ユニット
４８  洗面室ユニット用送風機
４９  断熱材
５０  空気加熱手段
５１  切替えダンパー
５２  埋込型洗面室ユニット
５３  乾燥機
５４  室外機
５５  操作用リモコン
５６  浴室暖房運転スイッチ
５７  浴室冷房運転スイッチ
５８  浴室乾燥運転スイッチ
５９  浴室換気運転スイッチ
６０  洗面室暖房運転スイッチ
６１  洗面室冷房運転スイッチ
６２  洗面室除湿運転スイッチ
６３  ドライヤー運転スイッチ
６５  乾燥機
６６  換気用ダクト
６７  制御基板
６８  循環用送風機
６９  乾燥用熱交換器
７０  乾燥用熱交換器
７１  吹出口
７２  吸込口
７３  結露水受け
７４  結露水排出ポンプ
７５  乾燥機
７６  風向制御手段
【図１】
0004594552.tif 000002
【図２】
0004594552.tif 000003
【図３】
0004594552.tif 000004
【図４】
0004594552.tif 000005
【図５】
0004594552.tif 000006
【図６】
0004594552.tif 000007
【図７】
0004594552.tif 000008
【図８】
0004594552.tif 000009
【図９】
0004594552.tif 000010
【図１０】
0004594552.tif 000011
【図１１】
0004594552.tif 000012
【図１２】
0004594552.tif 000013
【図１３】
0004594552.tif 000014
【図１４】
0004594552.tif 000015
【図１５】
0004594552.tif 000016
【図１６】
0004594552.tif 000017